(57)【要約】【課題】専用の伝送路や波長多重技術を用いることなく、構成要素を少なくして受信側から送信側へ要求信号を伝送し得る光伝送システムを提供する。【解決手段】受信装置３において、送信装置２から光ネットワークＮＷを介して送られてくる光信号の反射光量を変化させることで送信装置２に対し受光素子３ｅの異常発生通知といったサービスを要求し、送信装置２にて受信装置３からの反射光量の変化を検出して受信装置３からの要求内容を認識し、この要求内容に従ってサービスを実行するようにしている。【選択図】      図１
2006304188.tif 000002
【特許請求の範囲】
【請求項１】
送信装置から受信装置に対し光伝送路を介して光信号を伝送する光伝送システムにおいて、
前記受信装置は、
前記送信装置に対するサービスの実行要求が発生したとき、当該要求内容に応じて、前記送信装置から前記光伝送路を介して送られてくる光信号の反射量を選択的に変えることで、前記送信装置に対し当該サービスの要求信号を送信する要求送信手段を備え、
前記送信装置は、
前記受信装置から前記光伝送路を介して反射される光反射量の変化を検出することにより前記要求信号を受信する要求受信手段と、
この要求受信手段により受信された要求信号の内容に応じて、前記サービスを実行するサービス実行手段とを備えたことを特徴とする光伝送システム。
【請求項２】
前記受信装置の要求送信手段は、前記光信号の反射量の増減の時間、増減間隔、増減回数の少なくとも１つを変化させることを特徴とする請求項１記載の光伝送システム。
【請求項３】
前記受信装置の要求送信手段は、前記要求信号の送信時に、前記送信装置から前記光伝送路を介して送られてくる光信号の反射量を選択的に変えることで、前記送信装置に対し該受信装置からの反射光である旨を示す情報を送信することを特徴とする請求項１記載の光伝送システム。
【請求項４】
前記受信装置の要求送信手段は、
前記光伝送路を終端及び開放端のいずれか一方に切り替える切替手段と、
前記要求内容に応じて、前記切替手段を切替制御する制御手段とを備えることを特徴とする請求項１記載の光伝送システム。
【請求項５】
前記制御手段は、前記切替手段を開放端と終端とに連続して切替制御することで、２以上の複数ビットのデジタル信号を前記送信装置へ伝送することを特徴とする請求項４記載の光伝送システム。
【請求項６】
前記受信装置の要求送信手段は、前記送信装置にて前記受信装置からの反射光を識別可能な最小間隔で前記送信装置に対する反射光を発生することを特徴とする請求項１記載の光伝送システム。
【請求項７】
前記受信装置の要求送信手段は、前記送信装置から前記光伝送路を介して送られてくる光信号の反射量を選択的に変えることで、前記送信装置に対し当該受信装置を識別するための情報信号と、受信装置ごとに異なる受信装置番号信号と、前記要求信号とを送信することを特徴とする請求項１記載の光伝送システム。
【請求項８】
送信装置から受信装置に対し光伝送路を介して光信号を伝送する光伝送システムで使用される送信装置であって、
前記受信装置から前記光伝送路を介して反射される光反射量の変化を検出することにより、前記受信装置からのサービス実行の要求信号を受信する要求受信手段と、
この要求受信手段により受信された要求信号の内容に応じて、前記サービスを実行するサービス実行手段とを備えたことを特徴とする光伝送システムの送信装置。
【請求項９】
送信装置から受信装置に対し光伝送路を介して光信号を伝送する光伝送システムで使用される受信装置であって、
前記送信装置に対するサービスの実行要求が発生したとき、当該要求内容に応じて、前記送信装置から前記光伝送路を介して送られてくる光信号の反射量を選択的に変えることで、前記送信装置に対し当該サービスの要求信号を送信する要求送信手段を備えたことを特徴とする光伝送システムの受信装置。
【請求項１０】
前記要求送信手段は、
前記光伝送路を終端及び開放端のいずれか一方に切り替える切替手段と、
前記要求内容に応じて、前記切替手段を切替制御する制御手段とを備えることを特徴とする請求項９記載の光伝送システムの受信装置。
【発明の詳細な説明】
【技術分野】
【０００１】
この発明は、映像伝送などの片方向通信システムに関し、特に光ファイバにより信号を伝送し復元する光伝送システム、この光伝送システムの送信装置及び受信装置に関するものである。
【背景技術】
【０００２】
従来、片方向光通信システムにおいて、受信装置の装置情報及び制御信号を送信装置で確認する場合、制御信号などの情報伝送用に別の線路を用いる方法と、受信装置に送信装置へ情報を送信するための発光素子を搭載し、発光素子を用いて送信装置へ信号を送信する双方向通信とする方法の２種類の方法があった。
【０００３】
なお、先行技術文献に該当する文献は存在を特許出願時に知りえておらず、従来の技術内容を記載した特許文献を探し当たることができなかった。
【発明の開示】
【発明が解決しようとする課題】
【０００４】
ところで、前者の要求信号伝達用の別線路を用いる方法では、主信号用の光ファイバ回線以外に別線路が必要となるという課題があった。
また後者の波長多重技術を用いる方法では、受信装置への発光素子の搭載や、光波長分離器（ＷＤＭフィルタ）が必要となるなど構成要素増加に伴う価格の上昇、及び装置の大型化への影響という課題があった。
【０００５】
そこで、この発明の目的は、専用の伝送路や波長多重技術を用いることなく、構成要素を少なくして受信側から送信側へ要求信号を伝送し得る光伝送システム、光伝送システムの送信装置及び受信装置を提供することにある。
【課題を解決するための手段】
【０００６】
この発明は、上記目的を達成するために、以下のように構成される。  
（１）送信装置から受信装置に対し光伝送路を介して光信号を伝送する光伝送システムにおいて、受信装置は、送信装置に対するサービスの実行要求が発生したとき、当該要求内容に応じて、送信装置から光伝送路を介して送られてくる光信号の反射量を選択的に変えることで、送信装置に対し当該サービスの要求信号を送信する要求送信手段を備え、送信装置は、受信装置から光伝送路を介して反射される光反射量の変化を検出することにより要求信号を受信する要求受信手段と、この要求受信手段により受信された要求信号の内容に応じて、サービスを実行するサービス実行手段とを備えるようにしたものである。
【０００７】
（１）の構成によれば、受信装置において、光信号を受信することで送信装置へ反射される反射光を利用して送信装置に対しサービスを要求し実行することが可能となる。このため、サービス要求専用の伝送路を新たに設ける必要がなく、また新たな構成要素を追加する必要がなく、これにより簡単に実施できる。
【０００８】
（２）受信装置の要求送信手段は、要求信号の送信時に、送信装置から光伝送路を介して送られてくる光信号の反射量を選択的に変えることで、送信装置に対し該受信装置からの反射光である旨を示す情報を送信することを特徴とする。  
（２）の構成によれば、送信装置へ反射される反射光を利用して送信装置に対し受信装置からの反射光である旨を示す情報を送信するようにしているので、送信装置において受信装置からの反射光と、その他の反射光とを識別することができ、これにより要求元の受信装置に対し適切なサービスを実行することができる。
【０００９】
（３）受信装置の要求送信手段は、送信装置にて受信装置からの反射光を識別可能な最小間隔で送信装置に対する反射光を発生することを特徴とする。  
（３）の構成によれば、受信装置から送信装置へサービスの要求信号を送信される際に、送信装置にて受信装置からの反射光を識別可能な最小間隔で反射光が発生されることになる。このため、人為的な光コネクタ挿抜による反射光を受信装置からの要求信号と誤ってサービスを実行する場合や、他のユーザが故意に他の受信装置宛のサービスを利用しようとしても、誤ったサービス実行あるいは不正なサービス実行が行なわれないようにすることができる。
【００１０】
（４）受信装置の要求送信手段は、送信装置から光伝送路を介して送られてくる光信号の反射量を選択的に変えることで、送信装置に対し当該受信装置を識別するための情報信号と、受信装置ごとに異なる受信装置番号信号と、要求信号とを送信することを特徴とする。
【００１１】
（４）の構成によれば、送信装置において、情報信号及び受信装置番号信号に基づいて要求元となる受信装置を認識することができる。このため、受信装置ごとに適切なサービスを実行することができる。また、送信装置による全受信装置の一括管理を行なうことができ、これにより保守の効率向上が見込める。
【発明の効果】
【００１２】
以上詳述したようにこの発明によれば、専用の伝送路や波長多重技術を用いることなく、構成要素を少なくして受信側から送信側へ要求信号を伝送し得る光伝送システム、光伝送システムの送信装置及び受信装置を提供することができる。
【発明を実施するための最良の形態】
【００１３】
以下、この発明の実施形態について図面を参照して詳細に説明する。
（第１の実施形態）  
図１は、この発明に係わる光伝送システムの第１の実施形態を示す概略構成図であり、図中ＢＣは放送センタ、Ｕはユーザ宅をそれぞれ示している。
放送センタＢＣには送信装置２が設けられており、ユーザ宅Ｕには受信装置３が設けられている。送信装置２と受信装置３との間は光ネットワークＮＷを介して接続可能となっており、これによりユーザ装置１で制作された放送番組が送信装置２により光信号として受信装置３へ伝送される。そして、ユーザ宅Ｕでは、送信装置２から光ネットワークＮＷを介して到来する光信号を受信装置３により受信し、テレビジョン受像機からなるユーザ装置４にて再生する。
【００１４】
ところで、受信装置３には、この発明に係わる機能として、光スイッチ３ａと、制御機能３ｂと、要求受付機能３ｃと、装置警報監視機能３ｄとを備えている。なお、ここでは説明を簡単にするため、光スイッチ３ａの入力端子を１端子、出力端子を２端子とする。
【００１５】
光スイッチ３ａの入力端子には光ネットワークＮＷが接続され、第１出力端子には受光素子３ｅが接続され、第２出力端子は開放端３ｆとなる。この受光素子３ｅには上記ユーザ装置４が必要に応じて接続され、送信装置２からの光信号をユーザ装置４に出力する。
【００１６】
装置警報監視機能３ｄは、上記受信装置３の障害発生を監視する。そして障害が検出されると、この障害が発生した旨を要求受付機能３ｃに通知する。
要求受付機能３ｃは、上記装置警報監視機能３ｄにより障害発生の旨が通知された場合に、この障害発生に対する送信装置２へのサービス要求、つまり装置異常情報転送要求として認識する。
【００１７】
制御機能３ｂは、上記要求受付機能３ｃにより認識された要求内容に従って、光スイッチ３ａを１００ｍｓ以下の間隔つまり送信装置２で認識可能な最小間隔で受光素子３ｅ、開放端３ｆに交互に切り替えて光ネットワークＮＷを介して送られてくる光信号の送信装置２への反射量を変えることにより、図２に示すような要求信号を送信装置２へ送信する。このときこの要求信号には、受信装置３からの信号である事を認識させる「受信装置識別信号」と、複数台の受信装置が接続された際に特定の受信装置(ここでは受信装置３)を識別するための「個体番号認識信号」とが付加されて送られる。なお、ここでは、反射光受光レベルに閾値を設定し、その値より多いもしくは少ないかを示す情報をＮＺＲ(Noise Zero Reduction)の情報として認識させる例を示している。
【００１８】
一方、送信装置２は、発光素子２ａと、反射光検知機能２ｂと、制御機能２ｃと、要求動作機能２ｄと、光分配器２ｅとを備えている。
発光素子２ａは、ユーザ装置１と光ネットワークＮＷとの間を接続し、ユーザ装置１から送られる放送信号を光信号として光分配器２ｅを介して光ネットワークＮＷへ送出する。
【００１９】
反射光検知機能２ｂは、受信装置３で発生した光反射量変化を検知し、その変化情報を制御機能２ｃに通知する。この場合、受信装置３からの信号判別の方式は、反射量に一定の閾値を設定し、その値より多いか少ないかでデジタル信号として認識するものとする。
【００２０】
制御機能２ｃは、光反射量の変化を前述の装置異常信号として認識し、受信装置３が要求している動作（本例では受信装置異常の通知）を実行するよう要求動作機能２ｄへ命令する。
要求動作機能２ｄは、上記制御機能２ｃにより認識された要求内容に従って、受信装置３の異常発生時の通知制御等のサービスを実行する。
【００２１】
次に、以上のように構成されたシステムの動作を説明する。  
いま例えば、放送センタＢＣからユーザ宅Ｕへ光ネットワークＮＷを介して放送信号が光信号として送信されているものとする。この状態で、装置警報監視機能３ｄは受信装置３の障害監視を行なっている。
【００２２】
さて、この状態で受信装置３において受光素子３ｅの異常等が発生し、この異常発生が装置警報監視機能３ｄで検出されたとする。そうすると装置警報監視機能３ｄは異常発生の旨を要求受付機能３ｃに通知し、要求受付機能３ｃは異常発生を放送センタＢＣに知らせるべく装置異常情報転送要求を制御機能３ｄに送信する。
【００２３】
装置異常情報転送要求を受信した制御機能３ｄは、要求内容に従って、光スイッチ３ａを受光素子３ｅ、開放端３ｆに切り替えて光ネットワークＮＷを介して送られてくる光信号の送信装置２への反射量を変えることで、２以上の複数ビットのデジタル信号を生成し、送信装置２へ送信する。このときこのデジタル信号には、受信装置３からの信号である事を認識させる「受信装置識別信号」と、複数台の受信装置が接続された際に特定の受信装置を識別するための「個体番号認識信号」とが付加される。
【００２４】
これに対し送信装置２は、受信装置３からの反射光を受光すると、反射光検知機能２ｂにてこの反射光量の変化を検知し、その変化情報を制御機能２ｃへ伝送する。制御機能２ｃは、変化情報を受け取ると、この変化情報から装置異常情報転送要求と認識し、この要求中の「受信装置識別信号」、「個体番号認識信号」から受信装置３からの反射光であることを認識した上で、受信装置３が要求している動作を実行するように要求動作機能２ｄへ命令する。
【００２５】
この命令を受けると要求動作機能２ｄは、異常発生の旨のメッセージを「受信装置識別信号」、「個体番号認識信号」と共に図示しないモニタにより表示させる。なお、モニタへの表示の代わりにＬＥＤ等の点灯或いは点滅を使用してもよい。
かくして、受信装置３の異常発生に対する対応処置が迅速に講じられる。
【００２６】
なお、以前は受信装置３の異常発生を送信装置２に通知するために、図３に示すように、主信号伝送用回線５以外に要求信号伝送用別回線６を敷設する必要があったり、図４に示すように、主信号伝送用回線５上に要求信号伝送用の上りチャネルを設ける必要があった。このようにすると、システムの構成が大掛かりなものになるとともに、構成要素増加に伴う価格の上昇が問題となった。
【００２７】
そこで、本実施形態では、要求内容に応じて送信装置２から受信装置３へ送られる光信号の反射量を変えるだけでよいので、要求信号伝送用の別回線を必要とせず、送信装置２に設けられる発光素子２ａのみで双方向通信を実現できるため、装置構成要素削減によるコスト低減を図ることができる。
【００２８】
以上のように上記第１の実施形態では、受信装置３において、送信装置２から光ネットワークＮＷを介して送られてくる光信号の反射光量を変化させることで送信装置２に対し受光素子３ｅの異常発生通知といったサービスを要求し、送信装置２にて受信装置３からの反射光量の変化を検出して受信装置３からの要求内容を認識し、この要求内容に従ってサービスを実行するようにしている。
【００２９】
従って、サービス要求専用の伝送路を新たに設ける必要がなく、また新たな構成要素を追加する必要がなく簡単にサービスを要求し実行することができる。
また、上記第１の実施形態では、受信装置３において、要求信号に「受信装置識別信号」、「個体番号認識信号」を付加するようにしているので、送信装置２において受信装置３からの反射光と、その他の反射光とを識別することができ、これにより要求元の受信装置３に対し適切なサービスを実行することができる。
【００３０】
さらに、上記第１の実施形態では、受信装置３から送信装置２へ要求信号を送信される際に、受信装置３にて１００ｍｓ以下の間隔、つまり送信装置２にて受信装置３からの反射光を識別可能な最小間隔で反射光が発生されることになる。従って、人為的な光コネクタ挿抜による反射光を受信装置３からの要求信号と誤ってサービスを実行する場合や、他のユーザが故意に他の受信装置３宛のサービスを利用しようとしても、誤ったサービス実行あるいは不正なサービス実行が行なわれないようにすることもできる。
【００３１】
（第２の実施形態）  
図５は、この発明に係わる光伝送システムの第２の実施形態を示す概略構成図であり、図中ＢＣは放送センタ、Ｕ１〜Ｕ３はユーザ宅をそれぞれ示している。なお、図５において、図１と同一部分及び同一機能には同一符号を付して詳細な説明を省略する。ここで、ユーザ宅Ｕ１には、上記ユーザ宅Ｕと同じ受信装置３及びユーザ装置４が備えられる。またユーザ宅Ｕ２には、受信装置８及びユーザ装置９が備えられ、ユーザ宅Ｕ３には、受信装置１０及びユーザ装置１１が備えられる。
【００３２】
また、送信装置２に接続される光ネットワークＮＷは、光分配器７によって光ネットワークＮＷ１，ＮＷ２，ＮＷ３に分配され、ぞれぞれの端末に受信装置３，８，１０が接続される。
次に、以上のように構成されたシステムの動作を説明する。  
いま例えば、放送センタＢＣからユーザ宅Ｕ１，Ｕ２，Ｕ３へ光ネットワークＮＷ１，ＮＷ２，ＮＷ３を介して放送信号が光信号として送信されているものとする。この状態で、装置警報監視機能３ｄは受信装置３の障害監視を行なっている。
【００３３】
さて、この状態で受信装置３において受光素子３ｅの異常等が発生し、この異常発生が装置警報監視機能３ｄで検出されたとする。そうすると装置警報監視機能３ｄは異常発生の旨を要求受付機能３ｃに通知し、要求受付機能３ｃは異常発生を放送センタＢＣに知らせるべく装置異常情報転送要求を制御機能３ｄに送信する。
【００３４】
装置異常情報転送要求を受信した制御機能３ｄは、要求内容に従って、光スイッチ３ａを受光素子３ｅ、開放端３ｆに切り替えて光ネットワークＮＷを介して送られてくる光信号の送信装置２への反射量を変えることで、図６に示すようなＮＺＲＩ（Noise Zero Reduction inversion)情報を生成し、送信装置２へ送信する。このときこのＮＺＲＩ情報には、受信装置３からの信号である事を認識させる「受信装置識別信号」と、複数台の受信装置が接続された際に特定の受信装置を識別するための「個体番号認識信号」とが付加される。
【００３５】
これに対し送信装置２は、受信装置３からの反射光を受光すると、反射光検知機能２ｂこの反射光量の変化を検知し、その変化情報を制御機能２ｃへ伝送する。このとき、伝送途中に光分配器７が挿入されているため反射光の強度も減衰してしまい、反射光量の定量的設定が困難となる。そこで上記第１の実施形態とは異なり、制御機能２ｃにて反射量の増加および減少を信号として認識させる方法を採用することとする。また、時間制限を設けることで反射量変化の自然揺らぎと受信装置からの信号とを判別する事が可能となる。
【００３６】
制御機能２ｃは、変化情報を受け取ると、この変化情報から装置異常情報転送要求と認識し、この要求中の「受信装置識別信号」、「個体番号認識信号」から受信装置３からの反射光であることを認識した上で、受信装置３が要求している動作を実行するように要求動作機能２ｄへ命令する。
【００３７】
この命令を受けると要求動作機能２ｄは、異常発生の旨のメッセージを「受信装置識別信号」、「個体番号認識信号」と共に図示しないモニタにより表示させる。なお、モニタへの表示の代わりにＬＥＤ等の点灯或いは点滅を使用してもよい。
かくして、受信装置３の異常発生に対する対応処置が迅速に講じられる。
【００３８】
以上のように上記第２の実施形態であれば、送信装置２に対し複数の受信装置３，８，１０が接続される場合にも、送信装置２において、情報信号及び受信装置番号信号に基づいて例えば要求元となる受信装置３を認識することができる。このため、受信装置３，８，１０ごとに適切なサービスを実行することができる。また、送信装置２による全受信装置３，８，１０の一括管理を行なうことができ、これにより保守の効率向上が見込める。
【００３９】
（その他の実施形態）  
この発明は上記各実施形態に限定されるものではない。例えば図７に示すように、光スイッチ３ａ以外の光反射量可変手段を用いるようにしてもよい。なお、図７において、図１と同一部分には同一符号を付して示す。
すなわち、図７に示すシステムでは、受信装置３に反射量可変器３ｇを設けて、制御機能３ｂにより要求内容に従って反射量可変器３ｇの光反射量を制御できるようにしている。この光反射量の制御方法としては、光信号の反射量の増減の時間、増減間隔、増減回数の少なくとも１つを変化させるようにしている。
【００４０】
また、上記各実施形態では、送信装置への要求信号に「受信装置識別信号」、「個体番号認識信号」を付加する例について説明したが、「受信装置識別信号」、「個体番号認識信号」以外に、送信装置で認識可能な受信装置からの反射光である旨を示す情報を付加するようにしてもよい。
【００４１】
その他、システム構成や、送信装置の構成及び種類、受信装置の構成及び種類、受信装置から送信装置に対し要求するサービス内容等についても、この発明の要旨を逸脱しない範囲で種々変形して実施できる。
【図面の簡単な説明】
【００４２】
【図１】この発明に係わる光伝送システムの第１の実施形態を示す概略構成図。
【図２】同第１の実施形態において、受信装置から送信装置へ送信される要求信号の一例を示す図。
【図３】以前に考えられた光伝送システムの概略構成図。
【図４】以前に考えられた他の光伝送システムの概略構成図。
【図５】この発明に係わる光伝送システムの第２の実施形態を示す概略構成図。
【図６】同第２の実施形態において、受信装置から送信装置へ送信される要求信号の一例を示す図。
【図７】他の実施形態における光伝送システムの概略構成図。
【符号の説明】
【００４３】
１，４，９，１１…ユーザ装置、２…送信装置、３，８，１０…受信装置、２ａ…発光素子、２ｂ…反射光検知機能、２ｃ…制御機能、２ｄ…要求動作機能、３ａ…光スイッチ、３ｂ…制御機能、３ｃ…要求受付機能、３ｄ…装置警報監視機能、３ｅ…受光素子、３ｇ…反射量可変器、７…光分配器、ＢＣ…放送センタ、Ｕ，Ｕ１〜Ｕ３…ユーザ宅、ＮＷ，ＮＷ１〜ＮＷ３…光ネットワーク。
【図１】
2006304188.tif 000003
【図２】
2006304188.tif 000004
【図３】
2006304188.tif 000005
【図４】
2006304188.tif 000006
【図５】
2006304188.tif 000007
【図６】
2006304188.tif 000008
【図７】
2006304188.tif 000009